(57)【要約】  本発明は多重タイトルビデオデータの再生を管理するためのデータ構造を有する記録媒体、データ構造の記録及び再生方法及び装置に関する。記録媒体のナビゲーション領域にはビデオデータの各タイトルと連係するナビゲーション管理情報が格納される。ナビゲーション管理情報はビデオデータのタイトルに対する再生パスを少なくとも一つ指示し、前記ナビゲーション管理情報に関する属性を少なくとも一つ指示する属性フィールドを含む。
2005531094.tif 000002
【特許請求の範囲】
【請求項１】
記録媒体に記録される少なくとも多重タイトルビデオデータの再生を管理するためのデータ構造を有する記録媒体において、
ビデオデータの各タイトルと連係されるナビゲーション管理情報が格納されるナビゲーション領域で構成され、
タイトルと連係される前記ナビゲーション管理情報は、前記タイトルに対する再生パスを少なくとも一つ指示し、前記ナビゲーション管理情報に関する少なくとも一つの属性を指す属性フィールドを含むことを特徴とする記録媒体。
【請求項２】
再生リストファイルが格納される少なくとも一つの再生リスト領域をさらに含み、
各再生リストファイルは少なくとも一つ上の再生アイテムを識別し、各再生アイテムは前記多重タイトルビデオデータのクリップを少なくとも一つ識別することを特徴とする請求項１記載の記録媒体。
【請求項３】
タイトルと連係される各ナビゲーション管理情報は前記タイトルの際せ意中、再生するための再生リストファイルを少なくとも一つ識別することを特徴とする請求項２記載の記録媒体。
【請求項４】
それぞれ異なる再生リストファイルから識別され二つ以上の再生アイテムが同じクリップを識別することを特徴とする請求項３記載の記録媒体。
【請求項５】
少なくとも一つ以上のクリップが、一つより多い再生パスに共通であるビデオデータを示すことを特徴とする請求項３記載の記録媒体。
【請求項６】
少なくとも一つクリップがただ一つの再生パスに対するビデオデータを示すことを特徴とする請求項３記載の記録媒体。
【請求項７】
前記多重タイトルビデオデータはビデオデータパケットであることを特徴とする請求項１記載の記録媒体。
【請求項８】
前記ビデオデータは多重再生パスビデオデータであることを特徴とする請求項１記載の記録媒体。
【請求項９】
自身の領域に記録される少なくとも前記ビデオデータパケットを有し、多重化されて他の再生パスに属する前記ビデオデータパケットの少なくとも一部を有するデータ領域をさらに含むことを特徴とする請求項８記載の記録媒体。
【請求項１０】
多重タイトルビデオデータには監督のカットタイトルに対するビデオデータと映画館用タイトルに対するビデオデータが含まれることを特徴とする請求項１記載の記録媒体。
【請求項１１】
少なくとも多重再生パスビデオデータの再生を管理するためのデータ構造を記録媒体に記録する方法において、
前記記録媒体の少なくとも一つ以上のナビゲーション領域に、ビデオデータの各タイトルと連係されるナビゲーション管理情報を記録し、  タイトルと連係される前記ナビゲーション管理情報が、前記タイトルに対する再生パスを少なくとも一つ指示し、前記ナビゲーション管理情報に関する少なくとも一つの属性を指示する属性フィールドを含むことを特徴とする方法。
【請求項１２】
記録媒体に記録された少なくとも多重再生パスビデオデータの再生を管理するためのデータ構造を再生する方法において、
ビデオデータの各タイトルと連係されるナビゲーション管理情報を前記記録媒体の少なくとも一つのナビゲーション領域から再生し、  タイトルと連係される前記ナビゲーション管理情報が、前記タイトルに対する再生パスを少なくとも一つ指示して、前記ナビゲーション管理情報に関する少なくとも一つの属性を指示する属性フィールドを含むことを特徴とする方法。
【請求項１３】
少なくとも多重再生パスビデオデータの再生を管理するためのデータ構造を記録媒体に記録する装置において、
前記記録媒体にデータを記録する光記録手段を駆動するドライブと、
少なくとも多重再生パスビデオデータをエンコーディングするためのエンコーダと、
前記エンコーディングされた多重再生パスビデオデータを前記記録媒体に記録するように前記ドライブを制御するコントローラとを含み、
前記コントローラは、前記記録媒体の少なくとも一つ以上のナビゲーション領域にビデオデータの各タイトルと連係されるナビゲーション管理情報を記録するように、前記ドライブを制御し、
タイトルと連係される前記ナビゲーション管理情報は、前記タイトルに対する再生パスを少なくとも一つ指示し、前記ナビゲーション管理情報に関する少なくとも一つの属性を指示する属性フィールドを含むことを特徴とする装置。
【請求項１４】
記録媒体に記録された少なくとも多重再生パスビデオデータの再生を管理するためのデータ構造を再生する装置において、
記録媒体に記録されたデータを再生する光再生手段を駆動するドライブと、
ビデオデータの各タイトルと連係されるナビゲーション管理情報を前記記録媒体の少なくとも一つ以上のナビゲーション領域から再生するように、前記ドライブを制御するコントローラとを含み、
タイトルと連係される前記ナビゲーション管理情報が、前記タイトルに対する再生パスを少なくとも一つ指示し、前記ナビゲーション管理情報に関する少なくとも一つの属性を指示する属性フィールドを含むことを特徴とする装置。
【発明の詳細な説明】
【技術分野】
【０００１】
本発明は多重再生パスビデオデータの再生を管理するためのデータ構造を有する記録媒体、多重再生パスビデオデータを再生して記録するための装置及び方法に関する。
【背景技術】
【０００２】
最近、高画質のビデオデータと高音質のオーディオデータを高容量記録できる新しい高密度再生専用または再記録可能光ディスクに対する規格化作業が急速に進み、再記録可能ブルーレイディスク（ＢＤ−ＲＥ）のような新しい光ディスクと関連した製品がまもなく商用化されることと期待されている。
【０００３】
図１は、再記録可能ブルーレイディスク（ＢＤ−ＲＥ）のファイル構造を示したものである。ファイル構造またはデータ構造はＢＤ−ＲＥに記録されるビデオオーディオデータの再生を管理するために提供される。図１に示したように、データ構造は少なくとも一つの「ＢＤＡＶ」ディレクトリを有するルートディレクトリを含む。「ＢＤＡＶ」ディレクトリには「ｉｎｆｏ．ｂｄａｖ」、「ｍｅｎｕ．ｔｉｄｘ」、「ｍａｒｋ．ｔｉｄｘ」、「＊．ｒｐｌｓ」、「＊．ｖｐｌｓ」のような再生リストファイルが格納されるＰＬＡＹＬＩＳＴサブディレクトリ、「＊．ｃｌｐｉ」のようなクリップ情報ファイルが格納されるＣＬＩＰＩＮＦサブディレクトリ、そしてクリップ情報ファイルに対応するＭＰＥＧ−２フォーマットのＡ／Ｖストリームクリップファイルが格納されるＳＴＲＥＡＭサブディレクトリが含まれる。図１は、ディスクのデータ構造だけでなくディスクの領域をも示している。例えば、「ｉｎｆｏ．ｂｄａｖ」のような一般情報ファイルはディスクの一般情報領域に格納される。
【０００４】
図１に図示したＢＤ−ＲＥのデータ構造とディスクフォーマットは広く知られていて容易に利用できるので、以後ファイル構造に対しては簡単に説明する。
【０００５】
前述したように、ＳＴＲＥＡＭディレクトリにはクリップと呼ばれるＭＰＥＧ−２フォーマットのＡ／Ｖストリームファイルが含まれ、ブリッジ−クリップＡ／Ｖストリームファイルという特別な形態のクリップも含まれることがある。ブリッジ−クリップはクリップのうちから選択された二つ以上の再生区間をシームレスに連結するために使用されるもので、一般にクリップに比べてサイズが小さい。Ａ／Ｖストリームにはビデオオーディオデータに対するソースパケットが含まれる。例えば、ビデオオーディオデータのソースパケットにはヘッダと伝送パケットが含まれる。一つのソースパケットには自身にアクセスするためのアドレスの役割を果たすソースパケット番号（ＳＰＮ）が含まれる。このソースパケット番号は一般に順番に番号が割り当てられる。伝送パケットには一つのパケットＩＤ（ＰＩＤ）が含まれるが、そのＰＩＤは伝送パケットが属する一連の伝送パケットを識別する。一連の伝送パケットの各伝送パケットはＰＩＤが同じである。以後、この一連の伝送パケットを伝送パケットシーケンスという。
【０００６】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を示す。シーケンス情報は到着時間基準（ＡＴＣ）シーケンスとシステム時間基準（ＳＴＣ）シーケンスを記述する。例えば、シーケンス情報はシーケンスの数、各シーケンスの開始と終わり時間情報、各シーケンスにおける一番目のソースパケットのアドレス、各シーケンスにある伝送パケットのＰＩＤを含む。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを含む。
【０００７】
タイミング情報は特徴ポイント情報（ＣＰＩ）と呼ばれる。ＣＰＩの一形態がエントリーポイントマップ（（ＥＰ）Ｍａｐ）である。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【０００８】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテムと呼ばれる。再生リストファイルは再生リストを形成する各再生アイテムを識別して、各再生アイテムは、クリップの時間軸上の位置（例えば、ＡＴＣまたはＳＴＣ基準でプレゼンテーションタイムスタンプ（ＰＴＳ）を示すＩＮ−ｐｏｉｎｔとＯＵＴ−ｐｏｉｎｔの対である。換言すれば、再生リストファイルは再生アイテムを識別し、各再生アイテムは一つのクリップまたはその一部を指示し、クリップと連係するクリップ情報ファイルを識別する。クリップ情報ファイルは前記再生アイテムをソースパケットのクリップに連結するために使われる。
【０００９】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見なされるので、概念的にディスク上でクリップの一部を参照することと同じことと見られる。仮想再生リストはクリップとブリッジ−クリップをすべて用いることができるので、実再生リストの概念は仮想再生リストと並存しない。
【００１０】
「ｉｎｆｏ．ｂｄａｖ」ファイルは光ディスクに記録されるＡ／Ｖストリームの再生を管理する一般的な情報を提供する一般情報ファイルである。さらに詳細には同じＢＤＡＶディレクトリのＰＬＡＹＬＩＳＴディレクトリにある再生リストのファイル名を識別する再生リスト目録を含む。
【００１１】
「ｍｅｎｕ．ｔｉｄｘ」、「ｍｅｎｕ．ｔｄｔ１」、「ｍｅｎｕ．ｔｄｔ２」ファイルはメニューサムネイルと関連した情報を格納する。「ｍａｒｋ．ｔｉｄｘ」、「ｍａｒｋ．ｔｄｔ１」、「ｍａｒｋ．ｔｄｔ２」ファイルはマークサムネイルと関連した情報を格納する。このようなファイルは本発明と直接的な関連がないので、これ以上詳細な説明は省略する。
【００１２】
最近、ブルーレイロム（ＢＤ−ＲＯＭ）のような高密度再生専用光ディスクに対する規格化作業が進んでいる。しかし、ＢＤ−ＲＯＭのような高密度再生専用光ディスクに記録されるビデオオーディオデータの再生を管理するデータ構造に対する効率的な解決策がまだ用意されていない。
【発明の開示】
【発明が解決しようとする課題】
【００１３】
したがって、本発明は前記のような実情を勘案して創作されたものであって、本発明の目的は、多重再生パスをベースにしてビデオデータの再生を管理できるようにするファイルまたはデータ構造を有する記録媒体を提供して、前記のようなデータ構造を記録して再生する装置と方法を提供することである。
【課題を解決するための手段】
【００１４】
本発明による記録媒体にはその記録媒体から少なくともビデオデータの再生を管理するナビゲーション制御情報を格納するナビゲーション領域が含まれる。
【００１５】
本発明の実施態様によれば、ナビゲーション領域には、属性フィールド、ナビゲーションアイテム個数フィールド、少なくとも一つのナビゲーションアイテムを含むナビゲーション制御オブジェクトが少なくとも一つ格納される。本発明による一実施態様では、属性フィールドはナビゲーション制御オブジェクトの類型を指示し、ナビゲーションアイテム個数フィールドはナビゲーション制御オブジェクトにあるナビゲーションアイテムの個数を指示し、各ナビゲーションアイテムはナビゲーション制御情報を提供する。
【００１６】
本発明の一実施態様では、ナビゲーション制御情報は再生する再生リストを少なくとも一つ指示する。本発明の他の実施多様では、ナビゲーション制御オブジェクトはビデオデータの一つのタイトルと連係される。さらに他の実施態様では、一つ以上の再生リストが記録媒体の再生リスト領域に格納され、各再生リストは少なくとも一つの再生アイテムを識別し、各再生アイテムはビデオデータのクリップを少なくとも一つ識別する。
【００１７】
本発明の他の実施態様によれば、ナビゲーション領域には少なくとも一つのナビゲーション制御オブジェクトが格納される。そのナビゲーション制御オブジェクトにはナビゲーション制御オブジェクトの属性を一つ以上指示する属性フィールドと、ナビゲーション方向の個数を指示するナビゲーション方向個数フィールドとが含まれる。また、各ナビゲーション制御オブジェクトには少なくとも一つのナビゲーション方向が含まれる。
【００１８】
本発明の他の実施態様では、ナビゲーション方向は再生する再生リストを指示する。本発明の他の実施態様では、ナビゲーション制御オブジェクトはビデオデータのタイトル一つと連係される。また他の実施態様では、少なくとも一つの再生リストが記録媒体の再生リスト領域に格納され、各再生リストは少なくとも一つの再生アイテムを識別し、各再生アイテムはビデオデータのクリップを少なくとも一つを識別する。
【発明を実施するための最良の形態】
【００１９】
以下、本発明に対する望ましい実施形態に対して、添付した図面を参照しながら詳細に説明する。
【００２０】
本発明による高密度光ディスク、例えばＢＤ−ＲＯＭは、図２に示したように、ビデオオーディオデータの再生を管理するファイルまたはデータ構造を有する。図２のような本発明によるデータ構造は様々な面で図１に図示したＢＤ−ＲＥのデータ構造と同じである。したがって、同じ部分は詳細な説明を省略する。
【００２１】
図２に示したように、ルートディレクトリには少なくとも一つのＤＶＰディレクトリがある。ＤＶＰディレクトリには一般情報ファイル（ｉｎｆｏ．ｄｖｐ）、メニューファイル（ｍｅｎｕ．ｔｉｄｘ、ｍｅｎｕ．ｔｄｔ１等）、実再生リストファイル（＊．ｒｐｌｓ）と仮想再生リストファイル（＊．ｖｐｌｓ）が格納されるＰＬＡＹＬＩＳＴディレクトリ、クリップ情報ファイル（＊．ｃｌｐｉ）が格納されるＣＬＩＰＩＮＦディレクトリ、さらにクリップ情報ファイルに対応するＭＰＥＧ−２フォーマットのＡ／Ｖストリームクリップファイル（＊．ｍ２ｔｓ）が格納されるＳＴＲＥＡＭディレクトリが含まれる。
【００２２】
ＳＴＲＥＡＭディレクトリにはクリップと呼ばれるＭＰＥＧ−２フォーマットのＡ／Ｖストリームクリップファイルが含まれ、また、ブリッジ−クリップＡ／Ｖストリームファイルと呼ばれる特別な形態のクリップも含まれる。ブリッジ−クリップはクリップのうちから選択された二つ以上の再生区間をシームレスに連結するために使用され、一般にクリップに比べてサイズが小さい。Ａ／Ｖストリームにはビデオオーディオデータのソースパケットが含まれる。例えば、ビデオオーディオデータのソースパケットにはヘッダーと伝送パケットが含まれる。一つのソースパケットには自身にアクセスするためのアドレス役割を果たすソースパケット番号ＳＰＮが含まれる。そのソースパケット番号は一般に順番に番号が割り当てられる。伝送パケットには一つのパケットＩＤ  ＰＩＤが含まれる。そのＰＩＤは伝送パケットが属する伝送パケットシーケンスを識別する。伝送パケットシーケンスにある各伝送パケットはＰＩＤが同じである。
【００２３】
ＣＬＩＰＩＮＦディレクトリには各Ａ／Ｖストリームファイルに連係するクリップ情報ファイルが含まれる。クリップ情報ファイルは連係するＡ／Ｖストリームの類型、シーケンス情報、プログラム情報、タイミング情報を指示する。シーケンス情報は到着時間基準ＡＴＣシーケンスとシステム時間基準ＳＴＣシーケンスを記述する。例えば、シーケンス情報はシーケンスの数、各シーケンスの開始と終わり時間情報、各シーケンスにおける一番目のソースパケットのアドレス、各シーケンスにある伝送パケットのＰＩＤを指示する。プログラムのコンテンツが続く伝送パケットシーケンスはプログラムシーケンスと呼ばれる。プログラム情報はプログラムシーケンスの個数、各プログラムシーケンスの開始アドレス、プログラムシーケンスにある伝送パケットのＰＩＤを示す。
【００２４】
タイミング情報は特徴ポイント情報（ＣＰＩ）と呼ばれる。ＣＰＩの一形態がＥＰマップである。ＥＰマップは、例えば、到着時間ＡＴＣ及び／またはシステム時間ＳＴＣを基準にして、ソースパケットのアドレス（例えば、ソースパケットの番号）に対するタイムスタンプを表示する。
【００２５】
ＰＬＡＹＬＩＳＴディレクトリには一つ以上の再生リストファイルがある。再生リストは再生のためのクリップを容易に編集したり組み合わせるために導入された概念である。再生リストファイルはクリップにある再生区間の集合であって、各再生区間は再生アイテム（Ｐｌａｙｉｔｅｍ）と呼ばれる。再生リストファイルは再生リストを形成する各再生アイテムを識別し、各再生アイテムはクリップの時間軸上の位置（例えば、ＡＴＣまたはＳＴＣ基準でプレゼンテーションタイムスタンプ）を示すＩＮ−ｐｏｉｎｔとＯＵＴ−ｐｏｉｎｔの対である。換言すれば、再生リストファイルは再生アイテムを識別して、各再生アイテムは一つのクリップまたはその一部を指示してクリップと連係するクリップ情報ファイルを識別する。クリップ情報ファイルは再生アイテムをソースパケットのクリップに連結するために使用される。
【００２６】
ＰＬＡＹＬＩＳＴディレクトリには実再生リスト（＊．ｒｐｌｓ）と仮想再生リスト（＊．ｖｐｌｓ）が含まれる。実再生リストはクリップだけを用いてブリッジ−クリップは用いることができない。すなわち、実再生リストはクリップの一部を参照することと見なされるので、概念的にディスク上でクリップの一部を参照することと同じことと見られる。仮想再生リストはクリップとブリッジ−クリップをすべて用いることができるので、実再生リストの概念は仮想再生リストと並存しない。
【００２７】
「ｉｎｆｏ．ｄｖｐ」ファイルは光ディスクに記録されるＡ／Ｖストリームの再生を管理する一般的な情報を提供する一般情報ファイルである。さらに、詳細にはＰＬＡＹＬＩＳＴディレクトリにある再生リストのファイル名を識別する再生リスト目録を含む。「ｉｎｆｏ．ｄｖｐ」ファイルについては本発明の実施形態と関連して次にさらに詳細に説明する。
【００２８】
図２では、本発明の実施形態によって記録媒体のデータ構造を示しているだけでなく、記録媒体の領域をも示している。例えば、一般情報ファイルは一つ以上の一般情報領域に記録され、再生リストディレクトリは一つ以上の再生リストディレクトリ領域に記録され、再生リストディレクトリ内の各再生リストは記録媒体の一つ以上の再生リスト領域に記録される。図２のデータ構造を有する記録媒体に対して例示している図３に示したように、記録媒体にはファイルシステム情報領域、データベース領域、Ａ／Ｖストリーム領域が含まれる。データベース領域には一般情報ファイルと再生リスト情報が記録される領域とクリップ情報領域が含まれる。一般情報ファイルと再生リスト情報が記録される領域には、一般情報ファイル領域の一般情報ファイルと、再生リスト情報領域のＰＬＡＹＬＩＳＴディレクトリと再生リストファイルが記録される。クリップ情報領域には、ＣＬＩＰＩＮＦディレクトリと、関連クリップ情報ファイルが記録される。Ａ／Ｖストリーム領域には多様なタイトルのＡ／Ｖストリームが記録される。
【００２９】
ビデオオーディオデータは一般に個別タイトルとして編成されている。例えば、ビデオオーディオデータにより表現される異なる映画は異なるタイトルとして編成される。また、タイトルは、本がチャプターで編成されるように多くのチャプターで編成される。
【００３０】
ＢＤ−ＲＯＭのような新しい高密度記録媒体の格納容量が非常に大きいため、異なるタイトル、様々なバージョンのタイトルや一タイトルの一部を格納して再生することができる。例えば、異なるカメラ角度のビデオデータを記録媒体に記録したり、他の実施形態では、タイトルに対する様々なバージョンまたは異なる言語と関連した一部をも記録媒体に記録することができる。さらに他の実施形態では、タイトルに対する監督のバージョンまたは映画館用バージョンも記録媒体に記録させることができる。または、一タイトルの成人バージョン、青年バージョン、父母が制限できる少年バージョンなどをも記録媒体に記録させることができる。各バージョンは異なる再生パスを有している。そのような場合のビデオデータは多重再生パスビデオデータと呼ばれる。多重パスビデオデータは前記例に限らず、本発明は多重再生パスビデオデータのある類型またはこれらの組合せに対しても適用が可能である。後の実施形態で詳細に説明するように、本発明のデータ構造には、記録媒体に記録される多重再生パスビデオデータの再生を管理するためのパス管理情報及び／またはナビゲーション情報が含まれる。
【００３１】
ＢＤ−ＲＯＭのような記録媒体の物理的データ記録領域にタイトルとして記録される、例えば、マルチストーリー、父母制限水準、及び多重角度データストリームのような多重再生パスデータストリームが複数のクリップファイルとして管理される。例えば、図４Ａのクリップファイル１ないし３は一つのタイトルに対応し、それらのクリップファイルに記録されるＡ／ＶストリームはＭＰＥＧ−２フォーマットの伝送パケットＴＰの形態を有する。
【００３２】
多重パスデータストリームのＴＰには、パスを識別するためにパス（例えば、他のカメラアングル）それぞれに固有なパケットＩＤ  ＰＩＤが含まれる。パス１に該当するクリップファイル１のＴＰ（ＴＰ１）には「Ｖｉｄｅｏ_ＰＩＤ＝Ａ」と「Ａｕｄｉｏ_ＰＩＤ＝Ｐ」情報が含まれ、パス２に該当するクリップファイル２のＴＰ（ＴＰ２）には「Ｖｉｄｅｏ_ＰＩＤ＝Ｂ」と「Ａｕｄｉｏ_ＰＩＤ＝Ｒ」情報が含まれ、同様にパス３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。
【００３３】
パス１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブされた状態で記録される。多重再生パスに対するＴＰは、ＰＩＤをベースにしてインタリーブされてインタリーブブロックになるが、各インタリーブブロックは少なくとも一つ以上のＩ−Ｐｉｃｔｕｒｅが含まれる。各インタリーブブロックの一番目の伝送パケットＴＰはＩ−Ｐｉｃｔｕｒｅが始まる伝送パケットＴＰである。
【００３４】
クリップファイル１、２、３にそれぞれ該当するクリップ情報ファイル１、２、３には各再生パスのＴＰに選択的にアクセスするためのサーチ情報が含まれる。例えば、図４Ａに示したように、各クリップ情報ファイルには一つまたはそれ以上のエントリーポイントマップ（Ｅｎｔｒｙ  Ｐｏｉｎｔ（ＥＰ）Ｍａｐ）が含まれるが、ＥＰマップには連係するクリップファイルにあるＴＰのソースパケット番号（ＳＰＮ）を連結するプレゼンテーションタイムスタンプ（ＰＴＳ）が含まれる。一実施形態において、多重再生パスデータストリームに含まれるパスの数とＥＰマップとの間に一対一の関係がある。図４Ａの実施形態において、クリップファイル１、２、３にそれぞれ該当するＥＰマップ１、２、３は対応するクリップ情報ファイル１、２、３に生成されて記録される。
【００３５】
図４Ｂでは異なるクリップファイルに対するＥＰマップ間に存在する時間整列（Ｔｉｍｅ  Ａｌｉｇｎｍｅｎｔ）を図示している。ＥＰマップは再生アイテムで指摘されたようにプレゼンテーションタイムスタンプをソースパケットに連結する。さらに詳細には、プレゼンテーションタイムスタンプはソースパケットのアドレスまたは識別子に連結される。アドレスまたは識別子はソースパケット番号ＳＰＮである。図４Ｂにはクリップファイル１、２、３それぞれに対してプレゼンテーションタイムスタンプ軸に沿ったソースパケット番号でソースパケットをさらに示している。示したように、ＥＰマップ１、２、３それぞれのソースパケットは同じプレゼンテーションタイムスタンプを有する。例えば、クリップファイル１ではソースパケットｘ１、クリップファイル２ではソースパケットｙ１、そしてクリップファイル３ではソースパケットｚ１が同じプレゼンテーションタイムスタンプＴ１を有する。すなわち、ＥＰ  ｍａｐ１、２、３は時間整列されている。このような時間整列のため、再生している間に再生パスが変わってもビデオデータのスムースな再生が可能になる。図４では二個の同心円で再生パスの変化を示している。図示したように、ユーザーがソースパケットｙ２の再生途中でクリップファイル２からクリップファイル１に再生パスを変えると、ソースパケットｙ２の再生を終えた後ソースパケットｘ３が次に再生するソースパケットになる。同様に、ユーザーがソースパケットｘ４の再生途中にクリップファイル１からクリップファイル３へ再生パス（例えば、カメラアングル）を変えると、ソースパケットｘ４の再生を終えた後ソースパケットｚ５が再生される。本実施形態でソースパケット番号は単に例示にすぎず、一般に一つのクリップファイルのソースパケットは他のクリップファイルの時間整列されたソースパケットのソースパケット番号と同じではない。
【００３６】
図５は本発明の実施形態による一般情報ファイル（ｉｎｆｏ．ｄｖｐ）の一部を示している。一般情報ファイルには「ＴａｂｌｅＯｆＰｌａｙｌｉｓｔｓ」という情報フィールドがあるが、再生リスト目録（ＴａｂｌｅＯｆＰｌａｙｌｉｓｔｓ）には情報フィールドの長さとＰＬＡＹＬＩＳＴディレクトリにある再生リストの数が記録される。そして、各再生リストに対して再生リスト目録には再生リストのファイル名（ＰｌａｙＬｉｓｔ_ｆｉｌｅ_ｎａｍｅ）とパス番号（Ｐａｔｈ  ｎｕｍｂｅｒ）が記録される。そのパス番号は連係する再生リストが属するパスを指すことによってパス管理情報を提供する。図４Ａと図４Ｂの実施形態において、一つのクリップには各パスが対応する。したがって、各再生リストファイルには一つの再生アイテムが含まれ、再生アイテムは再生リストファイルのようなパスに連係する一つのクリップを指摘する。しかし、本発明はそれに限定されない。
【００３７】
本発明の他の実施形態においては、再生リスト目録にパス管理情報が含まれない。その実施形態では、図６に示したように、パス管理情報が再生リストファイルとして提供される。各再生リストファイルにはファイルの長さ、再生リストを形成する再生アイテムの個数（ｎｕｍｂｅｒ_ｏｆ_Ｐｌａｙｉｔｅｍｓ）が記録される。各再生アイテムに対して再生アイテム情報フィールドが再生リストファイルに提供される。ここで、各再生アイテムは再生アイテムの番号で識別される。図６に示したように、再生アイテム情報フィールドにはフィールドの長さとパス番号（Ｐａｔｈ_ｎｕｍｂｅｒ）が含まれる。パス番号は連係する再生アイテムが属するパスを指すことによってパス管理情報を提供する。
【００３８】
図７は、本発明による光ディスク記録及び再生装置に対する構成を示したものである。Ａ／Ｖエンコーダ９は、オーディオビデオデータの入力を受けてエンコーディングして、そのコーディング情報をストリーム特性情報と共にマルチプレクサ８に出力する。マルチプレクサ８は、例えば、ＭＰＥＧ−２伝送ストリームを作製するために、入力されたコーディング情報とストリーム特性情報をベースにしてエンコーディングされたオーディオビデオデータを多重化する。ソース・パケッタイザ７はマルチプレクサから入力された伝送パケットを光ディスクのオーディオビデオフォーマットに合うソースパケットとしてパケット化する。図７に示したように、Ａ／Ｖエンコーダ９、マルチプレクサ８、ソース・パケッタイザ７の動作はコントローラ１０により制御される。コントローラ１０がユーザーから記録命令を受信すると、Ａ／Ｖエンコーダ９、マルチプレクサ８、ソース・パケッタイザ７に制御情報を送る。例えば、コントローラ１０は、Ａ／Ｖエンコーダー９に実行するエンコーディング類型を指示し、マルチプレクサ８に作製するための伝送ストリームを指示し、ソース・パケッタイザ７にソースパケットのフォーマットを指示する。また、コントローラ１０は光ディスクにソース・パケッタイザ７の出力を記録するようにドライブ３を制御する。
【００３９】
また、コントローラ１０は光ディスクに記録されているオーディオビデオデータの再生を管理するためのナビゲーション管理情報を作る。例えば、ユーザーとのインターフェース（ディスクに格納されているか、イントラネットまたはインターネットを介して提供する命令語）を介して受け取った情報をベースにして、コントローラ１０は光ディスクに図２、図４、及び図５または図６のデータ構造を記録するようにドライ３を制御する。
【００４０】
再生期間には、コントローラ１０はデータ構造を再生するようにドライブ３を制御する。すなわち、ディスクに含まれた情報とユーザーインターフェース（記録及び再生装置の操作ボタンまたは前記装置と関連した遠隔操作）を介して受けたユーザー入力をベースにして、コントローラ１０は光ディスクからオーディオビデオソースパケットを再生するようにドライブ３を制御する。例えば、ユーザー入力は再生するパスを指定できる。このようなユーザー入力は、例えば、コントローラ１０にあらかじめプログラムされたＧＵＩベースのメニューを介して、指定される。ユーザー入力と光ディスクから読み出されるパス管理情報を利用して、コントローラ１０は指定されたパスの再生を制御する。
【００４１】
例えば、特定パスが選択されるために、コントローラ１０は再生パスの個数を確認するために各再生アイテムに対するパス番号を調査して、ユーザーが再生するパスを選択できるようにする。パス管理情報には再生する再生パスと関連した意味ある情報が含まれる。再生期間に、再生作動を行うために、選択されたパスに対するＥＰマップがアクセスされる。そして、再生している間にユーザーがパスを変更する場合、再生されているパスのＥＰマップと時間的に整列された新しいパスのＥＰマップを用いてスムースなパス変更が行われるようにする。
【００４２】
ソース・デパケッタイザ４は再生されたソースパケットの入力を受けてＭＰＥＧ−２伝送パケットストリームのようなデータストリームに変換する。デマルチプレクサ５はデータストリームをエンコーディングされたビデオオーディオデータに逆多重化する。Ａ／Ｖデコーダー６はエンコーディングされたビデオオーディオデータをデコーディングして元のビデオオーディオデータを生成させる。再生期間における、ソース・デパケッタイザー４、デマルチプレクサ５、Ａ／Ｖデコーダー６の動作はコントローラ１０により制御される。コントローラ１０がユーザーから再生命令を受信すると、ソース・デパケッタイザ４、デマルチプレクサ５、Ａ／Ｖデコーダー６に制御情報を送る。例えば、コントローラ１０は、ソース・デパケッタイザ４にソースパケットのフォーマットを指示して、デマルチプレクサ５に逆多重化する伝送ストリームを指示して、Ａ／Ｖデコーダー６に実行するデコーディング類型を指示する。
【００４３】
図７には記録と再生装置に関して図示しているが、図７の構成要素の一部だけで記録動作または再生作動だけ提供する専用記録装置または専用再生装置も可能である。
【００４４】
図８は、図２のデータ構造として使われるクリップファイル、ディスクデータ、ＥＰマップに対する二番目の実施形態を示したものである。前で説明したように、ＢＤ−ＲＯＭのような記録媒体の物理的データ記録領域に記録される多重パスデータストリームは複数のクリップファイルによって管理される。例えば、図８のクリップファイル１ないし３は一つのタイトルに該当して、クリップファイルに記録されるＡ／ＶストリームはＭＰＥＧ−２フォーマットの伝送パケットＴＰの形態を有する。
【００４５】
パス１に該当するクリップファイル１のＴＰ（ＴＰ１）には「Ｖｉｄｅｏ_ＰＩＤ＝Ａ」と「Ａｕｄｉｏ_ＰＩＤ＝Ｐ」情報が含まれ、パス２に該当するクリップファイル２のＴＰ（ＴＰ２）には「Ｖｉｄｅｏ_ＰＩＤ＝Ｂ」と「Ａｕｄｉｏ_ＰＩＤ＝Ｒ」情報が含まれ、同様にパス３に該当するクリップファイル３のＴＰ（ＴＰ３）には「Ｖｉｄｅｏ_ＰＩＤ＝Ｃ」と「Ａｕｄｉｏ_ＰＩＤ＝Ｓ」情報が含まれる。パス１、２、３にそれぞれ該当するクリップファイル１、２、３のＴＰは、例えば、ＢＤ−ＲＯＭのような記録媒体の物理的データ記録領域内にあるＡ／Ｖストリーム領域にインタリーブされた状態で記録される。前で叙述したように、一実施形態においては、異なるパスを異なるカメラ角度とすることができる。
【００４６】
多重再生パスに対するＴＰはインタリーブされてインタリーブブロックになるが、各インタリーブブロックは少なくとも一つ以上のＩ−Ｐｉｃｔｕｒｅが含まれる。そして、各インタリーブブロックの一番目の伝送パケットＴＰはＩ−Ｐｉｃｔｕｒｅが始まる伝送パケットＴＰである。
【００４７】
図８に示すように、ＢＤ−ＲＯＭの物理的データ記録領域に一つのタイトルとして記録された単一パスと多重パスＡ／Ｖストリームの再生制御のためのパス管理情報はクリップファイルに対応するクリップ情報ファイルに記録される。
【００４８】
例えば、パス管理情報はクリップファイル１、２、３に対応するクリップ情報ファイルにパスシーケンス情報として記録されて管理される。パスシーケンス情報には、記録セグメント、例えば記録セグメント１、２、３に対応するパスシーケンス番号（Ｐａｔｈ_Ｓｅｑｕｅｎｃｅ_Ｎｕｍｂｅｒｓ）とビデオ／オーディオＰＩＤが含まれる。
【００４９】
さらに詳細に見ると、一番目の記録セグメントに該当するＰａｔｈ_Ｓｅｑｕｅｎｃｅ＃１には、この記録セグメントが一番目の再生パスに対するビデオデータだけを含むということを指す「Ｖｉｄｅｏ_ＰＩＤ＝Ａ」と「Ａｕｄｉｏ_ＰＩＤ＝Ｐ」情報が含まれ、二番目の記録セグメントに該当するＰａｔｈ_Ｓｅｑｕｅｎｃｅ＃２には、この記録セグメントが一番目、二番目、三番目の再生パスに対するビデオデータを含むということを指す「Ｖｉｄｅｏ_ＰＩＤ＝Ａ、Ｂ、Ｃ」と「Ａｕｄｉｏ_ＰＩＤ＝Ｐ、Ｒ、Ｓ」情報が含まれ、三番目の記録セグメントに該当するＰａｔｈ_Ｓｅｑｕｅｎｃｅ＃３には、この記録セグメントのビデオデータが一番目再生パスに対するビデオデータだけを含むということを指す「Ｖｉｄｅｏ_ＰＩＤ＝Ａ」と「Ａｕｄｉｏ_ＰＩＤ＝Ｐ」情報が含まれる。
【００５０】
各パスシーケンスにはパスシーケンスにある各再生パスに対するソースパケット番号ＳＰＮが含まれる。再生パスに対するＳＰＮは再生シーケンスにある再生パスに対する一番目のソースパケットである。
【００５１】
パスシーケンスはパスシーケンスに含まれる再生パスを一つまたはそれ以上有するビデオデータセグメントに対応している。パスシーケンスの個数は３個に限られない。
【００５２】
図８では、パスシーケンス情報だけでなく、記録セグメント１ないし３に記録される各再生パスのＴＰに選択的にアクセスするための同じサーチ情報を提供しているクリップファイル１、２、３に対するクリップ情報ファイルを図示している。例えば、同一のＥＰマップがクリップ情報ファイルにより提供される。クリップ情報ファイルに記録されるＥＰマップ情報が一つのＥＰマップとして管理される時、異なる再生パスのＴＰのＰＴＳとＳＰＮは、異なるパスのＴＰが記録される順序と同じ順序でインタリーブされてＥＰマップに記録される。
【００５３】
代りに、図４Ａと図４Ｂに示したように、ＥＰマップと再生パス間には一対一の対応関係があるようにすることができる。図８の場合に、パス１、２、３のＴＰの集合にそれぞれ対応する３個のＥＰマップＥＰ_ｍａｐ１、２、３はクリップ情報ファイルに生成されて記録される。
【００５４】
クリップファイル１、２、３にそれぞれ該当するクリップ情報ファイル１、２、３には各再生パスのＴＰに選択的にアクセスするためのサーチ情報が含まれる。例えば、図４Ａに示したように、各クリップ情報ファイルには一つまたはそれ以上のエントリーポイントマップ（（ＥＰ）Ｍａｐ）が含まれる。ＥＰマップには連係するクリップファイルにあるＴＰのソースパケット番号（ＳＰＮ）を連結するプレゼンテーションタイムスタンプ（ＰＴＳ）が含まれる。一実施形態において、多重再生パスデータストリームに含まれるパスの数とＥＰマップとの間に一対一の関係がある。図４Ａの実施形態において、クリップファイル１、２、３にそれぞれ該当するＥＰマップ１、２、３は対応するクリップ情報ファイル１、２、３に生成されて記録される。
【００５５】
図７の記録及び再生装置は、図８の実施形態に対して、図４Ａと図４Ｂで説明したことと同様に作動する。しかし、他の再生方法も可能であって、本発明はそれに限らない。例えば、クリップ情報ファイル内のパスシーケンス情報形態のパス管理情報を、多重再生パスビデオデータの再生を管理するために読み出して使用することができる。コントローラ１０は各パスシーケンスのＰＩＤを調査して再生パスの個数を確認して、ユーザーが再生パスを選択できるようにする。もし、一つのＥＰマップが提供されれば、コントローラ１０は、選択された再生パスに適合したクリップファイルを再生するために、選択されたパスのＥＰマップとＰＩＤを用いる。もし、各再生パスに対するＥＰマップが提供されれば、選択された再生パスに対するクリップファイルを再生するために、選択された再生パスに該当するＥＰマップが使われる。そして、再生している間にユーザーがパスを変更する場合、再生されているパスのＥＰマップと時間的に整列された新しいパスのＥＰマップを用いてスムースなパス変更を行えるようにする。
【００５６】
図９は、本発明による記録媒体のファイルまたはデータ構造に対する他の実施形態を示したものである。図示したようにこの実施形態において、ＤＶＰディレクトリには一つのＴＩＴＬＥディレクトリがある。ＴＩＴＬＥディレクトリには記録媒体に記録されるビデオデータの各タイトルに対する一般情報ファイル（＊．ｔｔｌ）が含まれる。例えば、監督のカットタイトルと映画館用タイトルを記録媒体に提供することができ、一般情報ファイル（ｉｎｆｏ．ｔｔｌ）を各タイトルに対して提供することができる。一般情報ファイル（＊．ｔｔｌ）は、以後に詳細に叙述される追加的な情報フィールドを除いては、図２で叙述した一般情報ファイル（ｉｎｆｏ．ｄｖｐ）と同じである。図９に示したように、ＤＶＰディレクトリには一つのＰＬＡＹＬＩＳＴディレクトリ、ＣＬＩＰＩＮＦディレクトリ、ＳＴＲＥＡＭディレクトリがある。図２でのように、図９は記録媒体の領域をも示しており、図１０はこのような領域を含む記録媒体の実施形態を示したものである。図１０は、以後詳細に叙述されるナビゲーション制御情報が格納されるナビゲーション領域が含まれる一般情報ファイルと再生リスト情報領域を除いては、前で叙述した図３と同じである。図１０には一つのナビゲーション領域があるが、二つ以上のナビゲーション領域があってもよい。
【００５７】
図１１は、本発明の実施形態による、タイトルに対する一般情報ファイル（ｉｎｆｏ．ｔｔｌ）の一部を詳細に示したものである。この一般情報ファイルには再生リストシーケンサ（ＰｌａｙＬｉｓｔ_Ｓｅｑｕｅｎｃｅｒ）というナビゲーション制御情報またはオブジェクトが含まれる。再生リストシーケンサには情報フィールドの長さ、再生リストシーケンサの類型、そして再生リストの個数が記録される。類型フィールドには前記再生リストシーケンサの属性が提供される。例えば、類型フィールドにあるフラッグは再生リストシーケンサがコマンドまたはユーザーの操作によりレジュ−ムが可能であるか否かを指示する。他の実施形態では、類型フィールドのフラッグは再生リストシーケンサがタイトルサーチ動作中にアクセスすることができるか否かを指す。多数の属性を類型フィールドに指定することができる。
【００５８】
各再生リストに対して、再生リストシーケンサ（ＰｌａｙＬｉｓｔ_Ｓｅｑｕｅｎｃｅｒ）は、再生用再生リストのファイル名（ＰｌａｙＬｉｓｔ_ｆｉｌｅ_ｎａｍｅ）、パス番号（Ｐａｔｈ_ｎｕｍｂｅｒ）、そして再生リストのプロパティを指示する。再生リストファイル名はナビゲーションの方向を与え、パス番号は、連係する再生リストが属するパスを指示することによってパスまたはナビゲーション管理情報を提供する。プロパティは再生リストに対する特定機能を指示することができる。
【００５９】
図１２ないし１４は、図１１のデータ構造を用いてナビゲーション制御を構成する他の方法を絵として表現したものである。前で説明したように、ＢＤ−ＲＯＭのような記録媒体のＡ／Ｖストリーム領域に記録される多重パスデータストリームは複数のクリップファイルで管理される。複数のクリップファイルは複数の再生リストファイルと連係されるが、その複数の再生リストファイルは一つのタイトルファイルに対応する再生リストシーケンサにより他のパスに割り当てられる。
【００６０】
図１２に示したように、パスｍとｎ（Ｐａｔｈ＃ｍ、Ｐａｔｈ＃ｎ）に対して一つの共通パス（Ｐａｔｈ＃ｍ／ｎ）が割り当てられたクリップファイル１と２（Ｃｌｉｐ＃１、Ｃｌｉｐ＃２）は再生リスト１（ＰｌａｙＬｉｓｔ＃１）に連係され、パスｍ（Ｐａｔｈ＃ｍ）に割り当てられたクリップファイル３（Ｃｌｉｐ＃３）は再生リスト２（ＰｌａｙＬｉｓｔ＃２）に連係し、パスｎ（Ｐａｔｈ＃ｎ）に割り当てられたクリップファイル４（Ｃｌｉｐ＃４）は再生リスト３（ＰｌａｙＬｉｓｔ＃３）に連係され、一つの共通パス（Ｐａｔｈ＃ｍ／ｎ）に割り当てられたクリップファイル５（Ｃｌｉｐ＃５）は再生リスト４（ＰｌａｙＬｉｓｔ＃４）に連係される。
【００６１】
５個のクリップファイルに連係する再生リストは、パスシーケンサにより指定されるパス番号情報（Ｐａｔｈ_ｎｕｍｂｅｒ）を基にして、特定パスｍまたはｎを再生するために選択される。再生リストシーケンサーは一つのタイトルファイルに対応するナビゲーション制御情報を提供する。多重パス区間において、パスがｍである場合再生リスト２（ＰｌａｙＬｉｓｔ＃２）が選択され、パスがｎである場合再生リスト３（ＰｌａｙＬｉｓｔ＃３）が選択される。
【００６２】
言い換えると、もしパスｍ（Ｐａｔｈ＃ｍ）が選択されると、再生リストシーケンサにより再生リスト１、２、４が選択され、クリップファイル１、２、３、５が連続的に再生される。もし、パスｎ（Ｐａｔｈ＃ｎ）が選択されると、再生リストシーケンサにより再生リスト１、３、４が選択されて、クリップファイル１、２、４、５が連続的に再生される。
【００６３】
前記ビデオデータの多重パス区間、すなわちクリップファイル３と４のＡ／Ｖストリームは、分離されて記録される代わりに、互にインタリーブされた状態で記録されてもよい。
【００６４】
図１３に示したように、再生リストシーケンサは、ユーザーによりクリップの再生順序が編集された仮想再生リストを参照できる。前で説明したように、ＢＤ−ＲＯＭのような記録媒体のＡ／Ｖストリーム領域に記録される多重パスデータストリームは複数のクリップファイルで管理されることができる。その複数のクリップファイルは複数の実及び／または仮想再生リストファイルと連係されるが、複数の実及び／または仮想再生リストファイルは一つのタイトルファイルに対応する再生リストシーケンサにより異なるパスに割り当てられる。
【００６５】
図１３に示したように、クリップファイル１、２、６は一つの共通パス（Ｐａｔｈ＃ｍ／ｎ／ｐ）に割り当てられ、クリップファイル３はパスｍ（Ｐａｔｈ＃ｍ）に割り当てられ、クリップファイル４はパスｎ（Ｐａｔｈ＃ｎ）に割り当てられ、クリップファイル５はパスｐ（Ｐａｔｈ＃ｐ）に割り当てられる。また、クリップファイル１ないし６はユーザーの編集により作られた３個の仮想再生リストにそれぞれ連係される。
【００６６】
６個のクリップファイルに連係する仮想再生リストは特定パスｍ、ｎ、またはｐを再生するために再生リストシーケンサにより選択されるが、再生リストシーケンサは一つのタイトルファイルに対応するナビゲーション制御情報（例えば、ナビゲーションの方向）を提供する。すなわち、再生リストシーケンサは再生する再生リストの方向を提供する。
【００６７】
もし、パスｍ（Ｐａｔｈ＃ｍ）が選択されると、再生リストシーケンサーにより選択された仮想再生リスト１から得たパス情報（Ｐａｔｈ_ｎｕｍｂｅｒ）を基にして、クリップファイル１、２、３、６が連続的に再生される。パスｎ（Ｐａｔｈ＃ｎ）が選択されると、再生リストシーケンサーよる仮想再生リスト２の選択を介して、クリップファイル１、２、４、及び６が連続的に再生され、また、もしパスｐ（Ｐａｔｈ＃ｐ）が選択されると、再生リストシーケンサーによる仮想再生リスト３の選択を介して、クリップファイル１、２、５、６が連続的に再生される。
【００６８】
言い換えると、ビデオデータの多重パス区間において、仮想再生リスト１が選択されるとパスｍと関連するクリップファイル３が再生され、仮想再生リスト２が選択されるとパスｎと関連するクリップファイル４が再生され、そして仮想再生リスト３が選択されるとパスｐと関連するクリップファイル５が再生される。
【００６９】
したがって、上の実施形態では仮想再生リストの選択は多重再生データストリームのうちから特定のパスを選択するものである。しかし、この実施形態は実再生リストを利用して実施することもでき、実再生リストと仮想再生リストを組み合わせて実施することもできる。
【００７０】
この実施形態において、多重パス区間、すなわちクリップファイル３、４、５のＡ／Ｖストリームを、分離して記録されする代わり、互にインタリーブされた状態で記録することもできる。
【００７１】
一般情報ファイルには、図１１に示したように、一つの再生リストシーケンサーが含まれてもよい。図１４の例では、それぞれ異なるパスｍ、ｎ、ｐに属する再生リスト２、３、４が一つの再生リストシーケンサに含まれる。または、一般情報ファイルには各タイトルに対する再生リストシーケンサーが含まれてもよい。図１５にはこの実施形態による再生リストシーケンサーを示しているが、再生リストシーケンサにはタイトルの各再生パスが提供される。
【００７２】
図１５では再生リストシーケンサ（ＰｌａｙＬｉｓｔ_Ｓｅｑｕｅｎｃｅｒ）と呼ばれるナビゲーション制御情報フィールドを一つまたはそれ以上含む一般情報ファイル（ｉｎｆｏ．ｔｔｌ）の一部を図示している。各再生リストシーケンサには、情報フィールドの長さ、再生リストシーケンサの類型、再生リストシーケンサのパス番号（Ｐａｔｈ＿ｎｕｍｂｅｒ）、再生リストの個数が記録される。類型フィールドには再生リストシーケンサに対する属性が提供される。例えば、類型フィールドにあるフラッグは再生リストシーケンサがコマンドまたはユーザーの操作によりレジュ−ムが可能であるか否かを指す。他の実施形態で、類型フィールドのフラッグは再生リストシーケンサがタイトルサーチ動作中にアクセスすることができるか否かを指す。多数の属性を類型フィールドに指定することができる。
【００７３】
各再生リストに対して、再生リストシーケンサ（ＰｌａｙＬｉｓｔ_Ｓｅｑｕｅｎｃｅｒ）は、再生する再生リストを識別する再生リストのファイル名（ＰｌａｙＬｉｓｔ_ｆｉｌｅ_ｎａｍｅ）と再生リストのプロパティを指示する。パス番号は、再生リストシーケンサがナビゲーション制御情報を提供するパスを指定することによって、パスまたはナビゲーション管理情報を提供する。プロパティは再生リストに対する特定機能を指示することができる。
【００７４】
図１６は、図１５のデータ構造を用いてナビゲーション制御を構成する方法を絵として表現したものである。図１６の例には３個の再生リストシーケンサーがある。再生リストシーケンサー１（ＰｌａｙＬｉｓｔＳｅｑｕｅｎｃｅｒ＃１）には、パスｍ、ｎ、ｐに共通に関連する再生リスト１、パスｍに関連する再生リスト２、パスｍ、ｎ、ｐに共通に関連する再生リスト５が含まれる。再生リストシーケンサー２（ＰｌａｙＬｉｓｔＳｅｑｕｅｎｃｅｒ＃２）には、再生リスト１、パスｎに関連する再生リスト３、再生リスト５が含まれ、再生リストシーケンサ３（ＰｌａｙＬｉｓｔＳｅｑｕｅｎｃｅｒ＃３）には、再生リスト１、パスｐに関連する再生リスト４、そして再生リスト５が含まれる。
【００７５】
図７の記録及び再生装置は、図９ないし図１６で説明したデータ構造を有する記録媒体の実施形態を記録して再生するのにも適用される。図７の記録及び再生装置は、ＢＤ−ＲＯＭのような記録媒体に図９ないし図１６のデータ構造を記録する時、図４Ａと図４Ｂで説明したことと同様に作動する。また、図７の記録及び再生装置による再生も、再生リストシーケンサまたはシーケンサが再生されることとビデオデータの再生を制御するためにナビゲーション管理情報が使われることを除いては、実質的に同じである。
【００７６】
例えば、一つの実施形態において、コントローラ１０が、再生リストシーケンサで再生リストに対して提供されるパスの番号を調査することによって、再生パスの個数を確認して、ユーザーが再生パスを選択できるようにする。パス管理情報には再生する再生パスに関する意味ある情報が含まれて、ユーザーがパスを容易に選択できるようにすることができる。コントローラ１０は選択されたパスと連係する、再生リストシーケンサが指示する再生リストを再生する。すなわち、選択されたパスと連係する再生リストシーケンサにある再生リストを再生する。
【００７７】
他の実施形態では、コントローラ１０が、記録媒体に記録される一般情報ファイル（ｉｎｆｏ．ｔｔｌ）の個数を調査することによって、記録媒体に記録されるタイトルの個数を確認して、ユーザーが再生するタイトルを選択できるようにする。各タイトルに対する一般情報ファイルには連係するタイトルに関する情報が含まれ、コントローラ１０は、ユーザーがタイトルを容易に選択できるように、タイトルに関する情報を提供することができる。コントローラ１０は、記録媒体に記録されたビデオデータを再生するために、選択されたタイトルと連係する再生リストシーケンサを利用する。ここで、選択されたタイトルに対する再生リストシーケンサは、再生する再生リストを指示することによって、選択されたタイトルのビデオデータに関するナビゲーションの方向を提供する。
【００７８】
図１１ないし図１６で説明される実施形態を図９のデータ構造に適用することができる。このような実施形態は図２のデータ構造にも適用できる。
【００７９】
したがって、このように構成される本発明は、多重再生パスをベースにしてビデオデータのナビゲーション再生を管理及び／または制御できるようにすることによって、ユーザーの嗜好や便宜に合せてビデオデータを再生できる柔軟性を提供する。
【００８０】
以上、前述した本発明の望ましい実施形態は例示の目的のために開示されたものであって、ＢＤ−ＲＯＭ以外の他の光ディスクにも拡大適用が可能であり、また当業者ならば以下添付された特許請求範囲に開示された本発明の技術的思想とその技術的範囲内において、多様な他の実施形態を改良、変更、代替または付加などが可能である。
【図面の簡単な説明】
【００８１】
【図１】再記録可能ブルーレイディスク（ＢＤ−ＲＥ）の規格による再記録可能光ディスクのファイルまたはデータ構造を示したものである。
【図２】本発明による記録媒体のファイルまたはデータ構造に対する実施形態を示したものである。
【図３】図２のデータ構造を有する記録媒体に対する実施形態を示したものである。
【図４Ａ】図２のデータ構造で使われるクリップファイル、ディスクデータ、及びＥＰマップに対する一番目の実施形態を示したものである。
【図４Ｂ】異なるクリップファイルに対するＥＰマップ間に存在する時間整列を示したものである。
【図５】図２のデータ構造で使われる再生パス管理情報に対するデータ構造に対する二番目と三番目の実施形態を示したものである。
【図６】図２のデータ構造で使われる再生パス管理情報に対するデータ構造に対する二番目と三番目の実施形態を示したものである。
【図７】本発明による光ディスク記録及び再生装置に対する構成を示したものである。
【図８】図２のデータ構造で使われるクリップファイル、ディスクデータ、及びＥＰマップに対する二番目の実施形態を示したものである。
【図９】本発明による記録媒体のファイルまたはデータ構造に対する他の実施形態を示したものである。
【図１０】図９のデータ構造を有する記録媒体に対する実施形態を示したものである。
【図１１】図９のデータ構造と共に使われるナビゲーション制御に対するデータ構造に対する実施形態を示したものである。
【図１２】図１１のデータ構造を用いてナビゲーション制御を構成する他の方法を絵として表現したものである。
【図１３】図１１のデータ構造を用いてナビゲーション制御を構成する他の方法を絵として表現したものである。
【図１４】図１１のデータ構造を用いてナビゲーション制御を構成する他の方法を絵として表現したものである。
【図１５】図９のデータ構造と共に使われるナビゲーション制御に対するデータ構造に対する他の実施形態を示したものである。
【図１６】図１５のデータ構造を用いてナビゲーション制御を構成する方法を絵として表現したものである。
【図１】
2005531094.tif 000003
【図２】
2005531094.tif 000004
【図３】
2005531094.tif 000005
【図４Ａ】
2005531094.tif 000006
【図４Ｂ】
2005531094.tif 000007
【図５】
2005531094.tif 000008
【図６】
2005531094.tif 000009
【図７】
2005531094.tif 000010
【図８】
2005531094.tif 000011
【図９】
2005531094.tif 000012
【図１０】
2005531094.tif 000013
【図１１】
2005531094.tif 000014
【図１２】
2005531094.tif 000015
【図１３】
2005531094.tif 000016
【図１４】
2005531094.tif 000017
【図１５】
2005531094.tif 000018
【図１６】
2005531094.tif 000019
【国際調査報告】
2005531094.tif 000020